(57)【要約】【課題】本発明の課題は、シート（原稿）供給中にシート側端整合部材が移動することを防止し、且つ、シート幅に応じてシート側端整合部材を容易に調節することができるシート積載装置及び自動原稿搬送装置の提供をする。【解決手段】本発明に係るシート積載装置５０は、シート積載台１と、シート幅に応じてシート側端を整合するシート側端整合部材４５とを備え、シート積載台１は幅方向に磁性材料２５を設けており、シート側端整合部材４５はシート積載台１に設けられた磁性材料２５に対向する位置に電磁石６０を設けており、シート側端整合部材４５は、電磁石６０への通電により磁性材料２５と電磁石６０との間に作用する吸引力で移動が制限されるようにしている。【選択図】図１
2009012886.tif 000002
【特許請求の範囲】
【請求項１】
シート積載台と、シート幅に応じてシート側端を整合するシート側端整合部材とを備え、シート積載台は幅方向に磁性材料を設けており、シート側端整合部材はシート積載台に設けられた磁性材料に対向する位置に電磁石を設けており、シート側端整合部材は、電磁石への通電により磁性材料と電磁石との間に作用する吸引力で移動が制限されることを特徴とするシート積載装置。
【請求項２】
シートの供給が開始されると電磁石に通電することを特徴とする請求項２に記載のシート積載装置。
【請求項３】
シートの供給が終了すると電磁石への通電をカットしてシート側端整合部材の移動制限を解除することを特徴とする請求項１又は２に記載のシート積載装置。
【請求項４】
一対のシート側端整合部材を連動させる連動機構を備え、何れか一方のシート側端整合部材に電磁石を設けたことを特徴とする請求項１〜３の何れかに記載のシート積載装置。
【請求項５】
請求項１〜４の何れかに記載のシート積載装置を備えた自動原稿搬送装置。
【発明の詳細な説明】
【技術分野】
【０００１】
本発明は、シートを積載するシート積載装置及び自動原稿搬送装置に関する。
【背景技術】
【０００２】
複写機等の自動原稿搬送装置においては、原稿（シート）１０５の搬送方向に略平行な一対の原稿側端整合部材１０１、１０３を原稿１０５の幅方向に対向させて配置し、原稿積載台１００上の原稿１２の位置を原稿幅に応じて調節するために、これらの原稿側端整合部材１０１、１０３を原稿幅方向に移動させるようになっている（図６（ａ）参照）。
【０００３】
ところで、このような自動原稿搬送装置では、原稿供給の際、原稿１０５の紙厚やコシにより原稿側端整合部材１０１、１０３が動いて、原稿側端１０７が原稿側端整合部材１０１、１０３に対してずれた状態で供給されないように、原稿側端整合部材１０１、１０３を原稿幅に応じた所定の位置から移動しないようにする必要がある（図６（ｂ）参照）。
【０００４】
一方、原稿幅に応じて原稿側端整合部材１０１、１０３の位置を調節する場合には、原稿側端整合部材１０１、１０３を原稿幅方向に移動させる必要がある。
【０００５】
特許文献１に記載の自動原稿搬送装置においては、原稿積載台及び原稿側端整合部材の各々に設けた磁性材料を対向させて、両磁性材料間に作用する吸引力により、原稿供給中に原稿側端整合部材が原稿幅方向に移動することを防止している。
【０００６】
【特許文献２】実開平１−６５２３０号公報
【発明の開示】
【発明が解決しようとする課題】
【０００７】
しかしながら、特許文献１においては、磁性材料間に作用する吸引力を解除する手段がなく、原稿側端整合部材を原稿幅に応じて調節することが困難である。
【０００８】
本発明は、シート（原稿）供給中にシート側端整合部材が移動することを防止し、且つ、シート幅に応じてシート側端整合部材を容易に調節することができるシート積載装置及び自動原稿搬送装置を得ることを目的とする。
【課題を解決するための手段】
【０００９】
前記課題を解決する為に、請求項１に記載された発明は、シート積載台と、シート幅に応じてシート側端を整合するシート側端整合部材とを備え、シート積載台は幅方向に磁性材料を設けており、シート側端整合部材はシート積載台に設けられた磁性材料に対向する位置に電磁石を設けており、シート側端整合部材は、電磁石への通電により磁性材料と電磁石との間に作用する吸引力で移動が制限されることを特徴とする。
【００１０】
請求項２に記載された発明は、請求項１に記載された発明において、シートの供給が開始されると電磁石に通電することを特徴とする。
【００１１】
請求項３に記載された発明は、請求項１又は２に記載された発明において、シートの供給が終了すると電磁石への通電をカットしてシート側端整合部材の移動制限を解除することを特徴とする。
【００１２】
請求項４に記載された発明は、請求項１〜３の何れかに記載の発明において、一対のシート側端整合部材を連動させる連動機構を備え、何れか一方のシート側端整合部材に電磁石を設けたことを特徴とする。
【００１３】
請求項５に記載された発明は、請求項１〜４の何れかに記載のシート積載装置を備えた自動原稿搬送装置である。
【発明の効果】
【００１４】
本発明によれば、シート側端整合部材に設けられた電磁石に通電することにより、電磁石とシート積載台に設けられた磁性材料との間に作用する吸引力でシート側端整合部材の移動を制限し、且つ、電磁石への通電をカットすることにより、シート側端整合部材の移動制限を解除することができる。従って、シートがシート側端整合部材に対してずれて供給されることを防止でき、且つ、シート側端整合部材をシート幅に応じて容易に調節することができる。
【発明を実施するための最良の形態】
【００１５】
以下、添付図面を参照して、本発明の実施の形態を詳細に説明する。図１（ａ）は本実施の形態に係る原稿（シート）積載装置の上面板（カバー）を外した状態を示す平面図であり、図１（ｂ）は原稿側端整合部材に設けられた電磁石と原稿積載台に設けられた磁性材料との位置関係を示す縦断面図であり、図１（ｃ）原稿側端整合部材に設けられた電磁石と原稿積載台に設けられた磁性材料との位置関係を示す横断面図であり、図２は本実施の形態に係る原稿積載装置の外観を示す斜視図であり、図３は本実施の形態における電磁石の制御ブロック図であり、図４は本実施の形態における電磁石の制御のフローチャートであり、図５は本実施の形態に係る自動原稿搬送装置の概略的構成を示す縦断面図である。
【００１６】
原稿（シート）積載装置５０は、図５に示すように、複写機、ファクシミリあるいはこれらの複合機等の自動原稿搬送装置５２における上部に設けられるものである。尚、自動原稿搬送装置５１には、原稿１２の画像をコンタクトガラス８を介して読み取る読取部、この読取部が読み取った画像に対応する静電潜像が形成される像担持体、像担持体に形成された静電潜像にトナーを供給して静電潜像をトナー像として現像する現像部、トナー像を用紙に転写する転写部及び用紙に転写されたトナー像を定着する定着部等により、用紙に原稿画像に対応した画像を形成する画像形成部が設けられているが、本実施の形態ではその図示及びその詳細な説明は省略する。
【００１７】
原稿積載装置５０は、先側端が下方に向くように傾斜しているとともに、原稿１２が複数枚重なって束となった原稿束２０が差し込んでセットされる原稿積載台１と、原稿幅に応じて原稿１２の側端を整合させる一対の原稿側端整合部材４５、４７と、原稿積載台１にセットされた原稿束２０を送り出す呼び出しコロ（呼び出しローラ）３と、原稿積載台１の原稿束２０を一枚ずつ分離して給紙する分離給紙部（給紙部）４０と、分離給紙部４０から給紙された原稿１２をコンタクトガラス８に向けて搬送するプルアウトローラ対５及び搬送コロ対１４と、コンタクトガラス８を通過した原稿１２を更に下流側に向けて搬送する搬送コロ対１５及び排紙コロ対１１と、排紙コロ対１１によって搬送された（排紙された）原稿１２をスタックする排紙トレイ１０とを備えている。一方の排紙コロには原稿１２を検知する原稿センサ１７が設けられており、原稿１２が排紙されたタイミングを拾えるようになっている。
【００１８】
原稿積載台１は、図１又は図２に示すように、上面板２１と、下面板２３と、連動機構１９と、磁性材料（鉄板）２５とを備えている。上面板２１には長孔３３が設けられ、原稿側端整合部材４５、４７の下部に設けられた取り付け部材２９、３６が長孔３３を通じて下方に延びて、下面板２３に設けられた連動機構１９のスライダー３９、４１に取り付けられている。
【００１９】
連動機構１９においては、ラックギヤ部３５に噛合するピニオンギヤ３７が回転可能に設けられ、一方のスライダー３９を移動させるとラックギヤ部３５の移動によって、ピニオンギヤ３７が回転してこれに噛合する他方のスライダー４１のラックギヤ部４３の移動によって、他方のスライダー４１が反対方向に移動するようになっている。
【００２０】
つまり、一方の原稿側端整合部材４５の移動に連動して他方の原稿側端整合部材４７は反対方向に移動し、一方の原稿側端整合部材４５の移動を制限すると他方の原稿側端整合部材４７の移動も制限されるようになっている。
【００２１】
磁性材料２５は、図１（ａ）に示すように、連動機構１９の一方のスライダー３９に平行に下面板２３に設けられている。磁性材料２５は原稿積載台１の幅方向に、凡そ、一方の原稿側端整合部材４５が原稿幅方向に移動する範囲に亘って設けられている。
【００２２】
一方の原稿側端整合部材４５には、図１（ｂ）に示すように、取り付け部材２９に固定部材４９が取り付けられており、固定部材４９には電磁石６０が原稿積載台１の下面板２３に設けられた磁性材料２５に対向するように設けられている。
【００２３】
電磁石６０は、鉄心６１にコイル６３を巻いたものとヨーク６５とを備えており、制御部５１により制御されて電源５３から電流の供給を受ける。
【００２４】
以下に、本実施の形態における作用効果を説明する。
【００２５】
本実施の形態では、原稿積載台１の上に原稿束２０を原稿ストッパ２に突き当たるまで給紙口１３に差し込み、原稿側端整合部材４５、４７を原稿幅方向に移動させ原稿幅に合わせる。
【００２６】
ここで、原稿供給開始から原稿供給終了までの、一方の原稿側端整合部材４５に設けられた電磁石６０の制御と、一方の原稿側端整合部材４５の移動制限及び移動制限の解除の一連の流れを、図３に示す制御ブロック図及び図４に示すフローチャートを用いて説明する。
【００２７】
自動原稿搬送装置５２のスタートボタン５５の押下げにより（Ｓ１）、給紙信号を受けた制御部５１は、電源５３から一方の原稿側端整合部材４５に設けられた電磁石６０に電流を流し（Ｓ２）、電磁石６０と原稿１２の下面板に設けられた磁性材料２５との間に作用する吸引力により、一方の原稿側端整合部材４５の移動が制限される。そして、原稿供給終了の際には（Ｓ３）、一方の排紙コロ５７に設けられた原稿センサ１７から信号受けた制御部５１は、電源５３から電磁石６０への通電をカットし（Ｓ４）、一方の原稿側端整合部材４５の移動制限が解除される。
【００２８】
原稿側端整合部材４５、４７を原稿幅に合わせた後、自動原稿搬送装置５１のスタートボタン５５の押下げにより給紙モータが正回転して、呼び出しコロ３、給紙ベルト４及びリバースコロ６が時計方向に回転する。それと同時に原稿ストッパ２が案内板３０より下側に回動し搬送路３４を開放するとともに、呼び出しコロ３が原稿積載台１の原稿束２０に向けて落下する。この呼び出しコロ３により、原稿積載台１の原稿束２０の原稿が搬送路３４内に送り出される。呼び出しコロ３によって送り出されている原稿１２の先側端部は、搬送路３４の案内板３０の窪み３１を境に、搬送路３４の案内板３０の形状に沿って斜め下方から斜め上方の向きに湾曲することにより、原稿１２の先側端が給紙ベルト４及びリバースコロ６に向かう。このようにして送り出された原稿１２の先側端部は給紙ベルト４とリバースコロ６のニップ部分に入り、重送された原稿束２０の上面側で時計方向に回転する給紙ベルト４と、重送された原稿束２０の下面側で給紙ベルト４に対し所定の速度差をもって回転するリバースコロ６とにより原稿束２０の最も上に位置する原稿１２から順に一枚ごとに分離されて搬送される。
【００２９】
一枚ずつ分離されて搬送された原稿１２が、プルアウトコロ５の上流に配置されたプルアウトセンサ１８により検知されてから所定の時間後に呼び出しコロ３が上昇し、給紙ベルト４を駆動する給紙モータは正転から逆転に駆動方向を切り替えた後に停止する一方、リバースコロ６はそのまま回転して次原稿１２の分離給紙部４０への進入を阻止する。そして、この状態で、原稿１２はプルアウトコロ対５、搬送コロ対１４によりコンタクトガラス８及び対向ガイド板９からなる読取搬送部７へと搬送される。そして、読取搬送部７にて画像を読み取られた原稿１２は、搬送コロ対１５と排紙コロ対１１により、排紙トレイ１０へ排出される。
【００３０】
本実施の形態によれば、シート側端整合部材４５に設けられた電磁石６０に通電することにより、電磁石６０とシート積載台１に設けられた磁性材料２５との間に作用する吸引力でシート側端整合部材４５の移動を制限することができ、且つ、電磁石６０への通電をカットすることにより、シート側端整合部材４５の移動制限を解除することができる。
【００３１】
一方の原稿側端整合部材４５に設けられた電磁石６０に通電することにより、電磁石６０と原稿積載台１に設けられた磁性材料２５との間に作用する吸引力で一方の原稿側端整合部材４５の移動を制限するとともに、連動機構１９により他方の原稿側端整合部材４７の移動を制限することができ、且つ、電磁石６０への通電をカットすることにより原稿側端整合部材４５、４７の移動制限を解除することができる。即ち、１つの電磁石６０を用いて、一対の原稿側端整合部材４５、４７の移動を制限すること及び移動制限を解除することができる。
【００３２】
従って、電磁石６０に通電することにより、原稿側端整合部材４５、４７は原稿幅に応じた所定の位置から移動しないので、原稿側端が原稿側端整合部材４５、４７に対してずれて供給されることを防止することができ、且つ、電磁石６０への通電をカットすることにより、原稿幅に応じて原稿側端整合部材４５、４７の位置を容易に調節することができる。
【００３３】
原稿供給開始から原稿供給終了までは、一方の原稿側端整合部材４５に設けられた電磁石６０に通電されているので、原稿側端整合部材４５、４７の移動を制限することができ、且つ、原稿供給終了後には電磁石６０への通電がカットされるので、原稿側端整合部材４５、４７の移動制限を解除することができる。即ち、電磁石への通電を制御することにより、移動制限及び移動制限の解除を制御することができる。
【００３４】
本発明は、上述した実施の形態に限定されず、その用紙を逸脱しない範囲内において、種々の変形が可能である。
【００３５】
電磁石６０の制御においては、原稿側端整合部材４５、４７にタッチセンサを設けて、原稿幅に応じて原稿側端整合部材４５、４７を移動させる際、原稿側端整合部材４５、４７に触れたら電磁石６０への通電をカットするように制御しても良い。
【００３６】
上述した実施の形態では、一枚の原稿１２の供給が終了すると、制御部に５１より電磁石６０への通電をカットしているが、例えば同じ原稿１２の読取を連続して行うような場合には、最後の原稿１２の供給が終了してから電磁石６０への通電をカットするように制御しても良い。
【００３７】
上述した実施の形態では、一対の原稿側端整合部材４５、４７を連動させる連動機構１９を設けて双方を可動するようにしているが、連動機構１９を設けないで、他方の原稿側端整合部材４７を固定し、一方の原稿側端整合部材４５のみを可動するようにしても良い。
【００３８】
また、上述の実施の形態では、シートを原稿１２として積載するシート積載装置５０を自動原稿搬送装置５１に設けた例を説明したが、これに代えて、シートを用紙（記録媒体）として積載するシート積載装置５０をプリンター等の給紙装置に設けても良く、この場合であっても、上述した実施の形態と同様な作用効果を奏する。
【図面の簡単な説明】
【００３９】
【図１】（ａ）は本実施の形態に係る原稿（シート）積載装置の上面板（カバー）を外した状態を示す平面図である。（ｂ）は原稿側端整合部材に設けられた電磁石と原稿積載台に設けられた磁性材料との位置関係を示す縦断面図である。（ｃ）原稿側端整合部材に設けられた電磁石と原稿積載台に設けられた磁性材料との位置関係を示す横断面図である。
【図２】本実施の形態に係る原稿積載装置の外観を示す斜視図である。
【図３】本実施の形態の制御ブロック図である。
【図４】本実施の形態のフローチャートである。
【図５】本発明の実施の形態に係る自動原稿搬送装置の概略的構成を示す縦断面図である。
【図６】（ａ）従来の原稿側端整合部材を原稿幅に合わせてセットした状態を示す平面図である。（ｂ）従来の原稿側端整合部材が原稿供給中に移動して、原稿が原稿側端整合部材に対してずれた状態を示す平面図である。
【符号の説明】
【００４０】
１                原稿積載台（シート積載台）
１２              原稿（シート）
１９              連動機構
２５              磁性材料
４５              一方の原稿側端整合部材（シート側端整合部材）
５０              原稿積載装置（シート積載装置）
５１              自動原稿搬送装置
６０              電磁石
【図１】
2009012886.tif 000003
【図２】
2009012886.tif 000004
【図３】
2009012886.tif 000005
【図４】
2009012886.tif 000006
【図５】
2009012886.tif 000007
【図６】
2009012886.tif 000008